(57)【特許請求の範囲】
【請求項１】
柄（１０）と、
前記柄（１０）に接続されたモップヘッド（２０）と、を備え、前記モップヘッド（２０）は、
同一平面の、かつ、平坦な清掃面を形成することができる少なくとも２枚の独立した清掃板（２１）であって、一方の面に清掃要素（３０）を取り付け可能な清掃板（２１）と、
前記少なくとも２枚の独立した清掃板（２１）を前記柄（１０）に回転可能に接続するように配置された接続機構部と、を含み、前記接続機構部は、
前記少なくとも２枚の独立した清掃板（２１）にそれぞれ設置された複数の着座部（２３）と、
前記複数の着座部（２３）に接続された少なくとも１つの継手部材（２４）と、を含み、
前記少なくとも２枚の独立した清掃板（２１）のそれぞれは、前記少なくとも２枚の独立した清掃板（２１）が、それぞれ、前記柄（１０）に対して回転することができるように前記継手部材（２４）に対して回転可能であり、かつ前記清掃板（２１）は、前記清掃板（２１）の前記清掃要素（３０）を取り付け可能な面が前記柄（１０）の径方向外向きになるように回転可能である、折り畳み可能で遠心脱水のために回転可能な篭に入れることができるスピンフラットモップ（１００）。
【請求項２】
前記少なくとも１つの継手部材（２４）のそれぞれは、「Ｈ」字形の構成部を有し、該構成部は、前記柄（１０）に接続されたストレート継手本体（２４１）と，前記少なくとも２枚の独立した清掃板（２１）の対応する１枚上にそれぞれ配置され、かつ、前記少なくとも２枚の独立した清掃板（２１）の前記対応する１枚の前記着座部（２３）にそれぞれ接続された２つの端部継手本体（２４２）と、を含む、請求項１に記載の折り畳み可能なスピンフラットモップ。
【請求項３】
前記少なくとも１つの継手部材（２４）のそれぞれでは、前記２つの端部継手本体（２４２）は、それぞれ、前記ストレート継手本体（２４１）と接続し、かつ、前記ストレー
ト継手本体（２４１）に垂直な枢軸（Ｘ１）を画定し、前記少なくとも２枚の独立した清掃板（２１）のそれぞれは、対応する枢軸（Ｘ１）周りに回転可能である、請求項２に記載の折り畳み可能なスピンフラットモップ。
【請求項４】
前記接続機構部は、前記継手部材（２４）を前記柄（１０）に接続するカルダン継手部材（２２）を更に含み、
前記カルダン継手部材（２２）は、前記ストレート継手本体（２４１）に垂直な、かつ、前記カルダン継手部材（２２）を通って延在する第２の軸線（Ｘ２）周りに回転可能であり、かつ、前記ストレート継手本体（２４１）周りに回転可能であるように構成される、請求項２に記載の折り畳み可能なスピンフラットモップ。
【発明の詳細な説明】
【技術分野】
【０００１】
本開示は、一般に清掃工具に関し、特に、遠心脱水に適した折り畳み可能なスピンフラットモップに関する。
【背景技術】
【０００２】
スピン円形モップセットは、一般家庭物品の市場で最も一般に普及している清掃工具の１つである。通常、円形モップセットは、バケツと円形モップとを含む。円形モップは、柄と、清掃部と、その間に接続されたモップヘッドとを含む。バケツは、バケツ室と回転可能な篭とを含む。バケツ室は、水を清掃部から受け取るとともに、清掃部を洗浄する水を保持する。回転可能な篭は、バケツ室に固定され、かつ、モップの清掃部と適合可能であるように構成される。モップの清掃部が回転可能な篭上に取り付けられると、回転可能な篭とともに清掃部の回転によって、清掃部は遠心効果によって脱水する。結果的に、このモップセットは、清掃部をモップヘッドから取り外すことなく清掃部の洗浄及び脱水を実現することができ、これは、ユーザが清掃部の洗浄及び脱水中に清掃部に触れる必要がないことを意味する。換言すると、この円形モップセットによって、ユーザは、手によって清掃部に触れることなく円形モップの清掃部を洗うことができ、これによって、洗浄をより簡便になるだけでなく、ユーザの手がきれいに保たれる。
【発明の概要】
【発明が解決しようとする課題】
【０００３】
他方、フラットモップは、モップの仲間の重要な要素である。概して、フラットモップは、特に、隅部の周り及び凹部間の埃を取り除くことに適している。また、フラットモップは、窓ガラスを清掃するのに使用することができる。しかしながら、従来の円形モップのように、従来のフラットモップを洗浄して水分を除去することもまた不便である。具体的には、従来のフラットモップの清掃部は、手で洗浄して水分を除去するためにはモップヘッドから分離する必要がある。この問題を解決するために、一種のスピンフラットモップが開発されている。スピン円形モップと同様に、このスピンフラットモップは、折り畳み可能であり、したがって、遠心脱水のために回転可能な篭に入れることができる。図１は、この種のスピンフラットモップの実施形態を示す。図１に示すように、フラットモップは、柄１と、カルダン継手４によって柄に接続されたモップヘッドとを含む。フラットモップのヘッドは、３枚の板２、３で構成され、該板は、同一平面の、かつ、平坦な清掃部を形成するために隣合わせに接続される。これらの板では、中板２が、カルダン継手４を介してモップ柄１に接続され、他の２枚の側板３が、外力が該側板に印加されたときに該側板が中板２に対して上方へ及び下方へ回転することができるように中板２にヒンジ連結される。また、側板３と中板２との間の継手にはばねが配置され、これによって、３枚の板が、外力が該板に印加されないときには同一平面に保たれる。更に、この折り畳み可能なスピンフラットモップは、マイクロファイバーボンネット（bonnet）５と共に設置されたときに、通常のフラットモップの役目を果たすことができる。図２に示すように、外力が側板３上に印加されると、３枚板式のモップヘッドは、回転可能な篭６上に適合するように「Ｕ」形になって、その後、回転して水切りをすることになる。しかしながら、この折り畳み可能なスピンフラットモップは、手でマイクロファイバーボンネットに触れることなくマイクロファイバーボンネット５の洗浄及び脱水を実現することができるが、側板は洗浄中上下に傾き得るので、中板２上へ装着されたマイクロファイバーボンネットのみが床清掃には良好に機能し得る。これは、ユーザからの力が２枚の側板３に効果的に伝達されていないことを意味する。したがって、この折り畳み可能なスピンフラットモップの清掃効率に影響を与える。更に、脱水時には、回転可能な篭６の側壁にもたれるこの折り畳み可能なスピンフラットモップの側板３しか良好に脱水することができず、中板２は通常完全には水分を除去することができない。これらの欠点に鑑みて、より高い清掃及び脱水効率を有する折り畳み可能なスピンフラットモップを開発する必要がある。
【課題を解決するための手段】
【０００４】
開示された折り畳み可能なスピンフラットモップは、従来の技術的解決策に存在する上述の欠点の少なくとも１つの面を克服、又は軽減するために作製された。開示された折り畳み可能なスピンフラットモップは、構造が単純であり、かつ、向上した清掃及び脱水効率を有する。折り畳み可能なスピンフラットモップは、清掃状態と脱水状態との間で移動させることができる。具体的には、折り畳み可能なスピンフラットモップが脱水状態にあるときに、清掃部（即ち、これらの独立した清掃板及びその上に装着された複数の清掃要素）は、該清掃部をバケツの回転可能な篭に入れることを可能にするために折り畳むことができ、その結果、遠心脱水が実現される。
【０００５】
上述の折り畳み可能なスピンフラットモップは別として、この折り畳み可能なスピンフラットモップを含む清掃工具キットもまた提供される。
【０００６】
一実施形態では、
柄と、
前記柄に接続されたモップヘッドと、を備え、前記モップヘッドは、
同一平面の、かつ、平坦な清掃面を形成することができる少なくとも２枚の独立した清掃板と、
前記少なくとも２枚の独立した清掃板を前記柄に回転可能に接続するように配置された接続機構部と、を含み、前記接続機構部は、
前記少なくとも２枚の独立した清掃板にてそれぞれ設置された複数の着座部と、
複数の着座部を接続する少なくとも１つの継手部材と、を含み、
前記少なくとも２枚の独立した清掃板のそれぞれは、前記少なくとも２枚の独立した清掃板が、それぞれ、前記柄に対して回転することができるように前記継手部材に対して回転可能である、折り畳み可能なスピンフラットモップが提供される。
【０００７】
一実施形態では、前記少なくとも１つの継手部材のそれぞれは、「Ｈ」字形の構成部を有し、前記構成部は、前記柄に接続されたストレート継手本体と、前記少なくとも２枚の独立した清掃板の対応する１枚上にそれぞれ配置され、かつ、前記少なくとも２枚の独立した清掃板の対応する１つの着座部にそれぞれ接続された２つの端部継手本体とを含む。
【０００８】
一実施形態では、前記少なくとも１つの継手部材のそれぞれでは、前記２つの端部継手本体は、それぞれストレート継手本体と接続し、かつ、ストレート継手本体に垂直な枢軸を画定し、前記少なくとも２枚の独立した清掃板のそれぞれは、対応する枢軸の周りに回転可能である。
【０００９】
一実施形態では、前記接続機構部は、前記継手部材を前記柄に接続するカルダン継手部材を更に含み、前記カルダン継手部材は、ストレート継手本体に垂直な、かつ、カルダン継手部材を通って延在する第２の軸線の周りに回転可能であり、かつ、ストレート継手本体の周りに回転可能であるように構成される。
【００１０】
一実施形態では、前記少なくとも２枚の独立した清掃板のそれぞれでは、端部継手本体と柄との間の距離は、独立した清掃板の垂直中央線と前記柄との間の距離を下回る。
【００１１】
一実施形態では、前記少なくとも２枚の独立した清掃板のそれぞれでは、端部継手本体と柄との間の距離は、独立した清掃板の垂直中央線と前記柄との間の距離以上であり、接続機構部は、前記少なくとも２枚の独立した清掃板の対応する１枚を付勢して前記清掃板を同一平面状態に保つように適合された付勢ユニットを更に含む。
【００１２】
一実施形態では、付勢ユニットは、それぞれが端部継手本体の対応する１つの上で滑る複数の蝶ばねを含む。
【００１３】
一実施形態では、折り畳み可能なスピンフラットモップは、それぞれが前記少なくとも２枚の独立した清掃板の対応する１枚に設置される複数の清掃要素を更に含む。好ましくは、複数の清掃要素のそれぞれは、マイクロファイバーボンネットを含む。
【００１４】
一実施形態では、上述した折り畳み可能なスピンフラットモップが含まれる清掃工具キット。清掃工具キットは、
上述したような折り畳み可能なスピンフラットモップと、バケツ室、及び前記バケツ室内に配置された回転可能な篭を含むバケツと、を備え、折り畳み可能なスピンフラットモップのモップヘッドが回転可能な篭に入れられたときに、モップヘッドが篭とともに旋回するように駆動されると、モップヘッドの遠心脱水が行われるように、前記少なくとも２枚の独立した清掃板のそれぞれは篭の側壁にもたれるように対応する端部継手本体の周りに回転することになる。
【００１５】
開示された折り畳み可能なスピンフラットモップは、構造が単純である。具体的には、折り畳み可能なスピンフラットモップは、モップヘッド内の２枚以上の独立した清掃板を含むことができる。これらの独立した清掃板をモップの柄に装着することによって、独立した清掃板は、清掃状態と脱水状態との間を遷移することができる。更に、これらの独立した清掃板の全てを回転可能な篭に入れることができ、かつ、篭と共に回転することができるので、これらの独立した清掃板に装着されたマイクロファイバーボンネット（即ち、清掃要素）を効果的に脱水することができる。したがって、より高い脱水効率を達成することができる。更に、外力が柄に印加されると、力を全ての独立した清掃板に均一に伝達させることができる。したがって、この折り畳み可能なスピンフラットモップは、従来技術と比較してより高い清掃効率を有する。
【図面の簡単な説明】
【００１６】
本発明のこれら及び／又は他の態様及び利点は、以下の各実施形態の説明を付属の図面と併せ読むことで明確となり、より容易な理解がなされるであろう。
【図１】従来技術における従来のスピンフラットモップの概略図である。
【図２】モップが回転可能な篭に載置されて脱水中である、図１に示す従来のスピンフラットモップの概略図である。
【図３】モップの２枚の板が同一平面である、本発明の好適な実施形態による折り畳み可能なスピンフラットモップの概略図である。
【図４】モップの２枚の板が同一平面である、図３に示すような折り畳み可能なスピンフラットモップの側面図である。
【図５】モップの２枚の板が同一平面である、図３に示すような折り畳み可能なスピンフラットモップの上面図である。
【図６】モップの２枚の板が同一平面である、本発明の好適な実施形態による折り畳み可能なスピンフラットモップの斜視図である。
【図７】モップの２枚の板のそれぞれが位置に対応する枢軸の周りに回転する、本発明の好適な実施形態による折り畳み可能なスピンフラットモップの別の概略図である。
【図８】モップが回転可能な篭に載置されて脱水中である、本発明の好適な実施形態による折り畳み可能なスピンフラットモップの概略図である。
【図９】モップの両方の板が、清掃待機状態である、図１及び図２に示すような従来のスピンフラットモップ及び本発明による折り畳み可能なスピンフラットモップの比較概略図である。
【図１０】モップの両方がそれぞれの回転可能な篭に載置されて脱水中である、図１及び図２に示すような従来のスピンフラットモップ及び本発明による折り畳み可能なスピンフラットモップの別の比較概略図である。
【００１７】
本発明の範囲は、いかなる点においても、本明細書で定めるように実施形態に限定されるものではないこととする。開示された実施形態では、折り畳み可能なスピンフラットモップの詳細は、あくまでも例示のために詳細に開示される。
【発明を実施するための形態】
【００１８】
本開示の例示の実施形態は、添付の図面を参照して以下に詳細に記載され、類似の参照番号は類似の要素を示す。本開示はしかしながら、多くの異なる形態で具現化されてもよく、本明細書に説明される実施形態に限定されるべきではなく、むしろ本開示が徹底的かつ完全に、そして十分に本開示の概念を当該技術分野における当業者に伝達するように、本実施形態は提供される。
【００１９】
図３〜７は、折り畳み可能なスピンフラットモップ１００を示す。折り畳み可能なスピンフラットモップ１００は、柄１０と、柄１０に接続されたモップヘッド２０とを含む。モップヘッド２０は、少なくとも２枚の独立した清掃板２１と、少なくとも２枚の独立した清掃板２１を柄１０に回転可能で接続するように配置された接続機構部とを含み、少なくとも２つの独立した清掃板２１は、共に、同一平面の、かつ、平坦な清掃面を形成することができる。モップヘッド２０では、接続機構部は、少なくとも２つの独立した清掃板２１にてそれぞれ設置された複数の着座部２３と、複数の着座部２１を接続する少なくとも１つの継手部材２４とを含み、少なくとも２枚の独立した清掃板２１のそれぞれは、少なくとも２枚の独立した清掃板２１がそれぞれ柄１０に対して自由に回転することができるように継手部材２４に対して回転可能である。したがって、本発明による折り畳み可能なスピンフラットモップは、（これらの独立した清掃板２１の全てが同一平面である）清掃状態と（これらの独立した清掃板２１の全てがバケツの回転可能な篭に入れられるように折り畳まれる）脱水状態との間を遷移することができる。
【００２０】
具体的には、図３〜７に示すように、折り畳み可能なスピンフラットモップ１００では、継手部材２４は、「Ｈ」字形の構成を有する。特に、「Ｈ」字形の継手部材２４は、柄１０に接続されたストレート継手本体２４１と、独立した清掃板の対応する１枚上にそれぞれ配置され、かつ、独立した清掃板２１の対応する１枚の着座部２３にそれぞれ接続された２つの端部継手本体２４２とを含み、２つの端部継手本体２４２は、それぞれ、ストレート継手本体に垂直な枢軸Ｘ１を画定し、２枚の独立した清掃板２１のそれぞれは、対応する枢軸Ｘ１の周りに回転可能である。この実施形態では、１つの「Ｈ」字形の継手部材２４のみが設置され、２枚の独立した清掃板２１は、この「Ｈ」字形の継手部材２４によって共に接続される。
【００２１】
それにもかかわらず、代替実施形態では、２枚以上の独立した清掃板２１（例えば、４枚又は６枚の清掃板）があり得る。したがって、これらの４枚又は６枚の清掃板を共に接続する２つ以上の「Ｈ」字形の継手部材２４を設置し得る。特に、４枚の清掃板の場合、２枚の「Ｈ」字形の継手部材２４が設置される。「Ｈ」字形の継手部材２４のそれぞれは、ストレート継手本体２４１と、２つの端部継手本体２４２とを含む。更には、２つの「Ｈ」字形の継手部材２４の２つのストレート継手本体２４１は交差し、一方、２つの「Ｈ」字形の継手部材２４の４つの端部継手本体２４２は、これらの４枚の独立した清掃板２１の対応する１つの着座部２３にそれぞれ接続する。この点を踏まえると、これらの４枚の独立した清掃板２１は、２つの「Ｈ」字形の継手部材２４によって共に接続され得る。
【００２２】
図３〜７に示すように、折り畳み可能なスピンフラットモップ１００では、接続機構部は、継手部材２４を柄１０に接続するカルダン継手部材２２を更に含むことができる。具体的には、カルダン継手部材２２は、ストレート継手本体２４１に垂直であり、かつ、カルダン継手部材２２を通って延在する第２の軸線Ｘ２の周りに回転可能であり、かつ、更には、ストレート継手本体を通る第３の軸線Ｘ３の周りに回転可能である（図６を参照）ように構成される。換言すると、カルダン継手部材２２は、ストレート継手本体２４１の周りに回転することができる。したがって、カルダン継手部材２２は、第２の軸線Ｘ２及びストレート継手本体２４１の周りに自由に回転することができる。
【００２３】
図３〜７に示すように、折り畳み可能なスピンフラットモップ１００では、継手部材２４の２つの端部継手本体２４２のそれぞれと柄１０との間の距離、２枚の独立した清掃板２１の対応する１本の垂直中央線（図示せず）と柄１０との間の距離を下回る。このようにすると、外部力が２枚の独立した清掃板２１上に掛けられないときに、該清掃板２１は、２枚の板が重力によって同一平面の、かつ、平坦な清掃面を形成する状態に自然に保たれ得る。あるいは、別の実施形態に係る折り畳み可能なスピンフラットモップ１００では、継手部材２４の２つの端部継手本体２４２のそれぞれと柄１０との間の距離は、独立した清掃板２１の対応する１枚の垂直中央線と柄１０との間の距離以上であり得る。この状況では、接続機構部は、少なくとも２枚の独立した清掃板２１のそれぞれにて設置され、かつ、これらの板に印加された外力がないときに、少なくとも２枚の独立した清掃板２１の対応する１枚を付勢してこれらの板を同一平面状態に保つように適合された付勢ユニット（図示せず、ばねなど）を更に含むことができる。例えば、付勢ユニットは、それぞれが２つの端部継手本体２４２の対応する１つの上で滑る２枚の蝶ばねを含むことができる。
【００２４】
折り畳み可能なスピンフラットモップ１００が使用中であるときに、図４に示すように、清掃要素３０が、少なくとも２枚の独立した清掃板２１のそれぞれに設置される。好ましくは、複数の清掃要素のそれぞれは、マイクロファイバーボンネットを含む。
【００２５】
図７によれば、折り畳み可能なスピンフラットモップ１００は、旋回するようにモップヘッド２０を駆動することができる旋回駆動機構２５を更に含む。好適な実施形態によれば、旋回駆動機構２５は、主ねじ要素２５３を中に取り付けた外棒要素２５１と、モップヘッド２０に接続され、かつ、内側壁（図示せず）に配置されたねじ山を含む内棒要素２５２とを含み、これらのねじ山は、外棒要素２５１の主ねじ要素２５３と係合している。具体的には、外棒要素２５１の上下動が、伝達されて、主ねじ要素２５３と内棒要素の内側壁に配置されるねじ山との間の相互作用を介して内棒要素２５２の旋回運動になって、内棒要素２５２に接続されたモップヘッド２０が旋回するように駆動されるようになっている。すなわち、好適な実施形態による旋回駆動機構２５は、入れ子式の旋回駆動機構である。モップヘッド２０の回転となる柄１０の上下動の遷移を可能にする他の旋回駆動機構２５が企図され得る。これらは別として、また、代替機構が採用され得ることが、当業者に明らかである。例えば、電動機が、外棒要素２５１と内棒要素２５２との間で設置され得る。更には、内棒要素２５２は、電動機を始動させることによって回転するように駆動され得る。
【００２６】
一実施形態では、上述した折り畳み可能なスピンフラットモップ１００が含まれる清掃工具キット。具体的には、図８を参照すると、清掃工具キットは、上述した折り畳み可能なスピンフラットモップ１００と、バケツ５００とを含む。バケツ５００は、バケツ室５０２と、バケツ室５０１内に配置された回転可能な篭５０１とを含む。更には、清掃工具キットは、折り畳み可能なスピンフラットモップ１００のモップヘッド２０が回転可能な篭に取り付けられたときに、旋回するようにモップヘッドを駆動するために外力が折り畳み可能なスピンフラットモップの柄に印加されると、清掃部の遠心脱水が行われるように、これらの独立した清掃板２１のそれぞれは篭の側壁にもたれるように対応する端部継手本体の周りに回転するように構成される。すなわち、図８に示すように、折り畳み可能なスピンフラットモップ１００を脱水するために、折り畳み可能なスピンフラットモップ１００のモップヘッド２０は、２枚の独立した清掃板２１のそれぞれが回転可能な篭５０２の側壁にもたれるように水平位置から実質的に垂直の位置に遷移されるように篭５０２に取り付けられている。その後、モップヘッド２０は、内棒要素２５２に対する外棒要素２５１の上下動を行うことによって旋回するように駆動される。結果的に、モップヘッド２０の旋回で、バケツ５００の回転可能な篭５０２は、バケツ室５０１内で回転する。したがって、モップヘッドの清掃板２１に装着された複数の清掃要素３０（即ち、マイクロファイバーボンネット）は、遠心効果のために効果的に脱水される。
【００２７】
図９〜１０は、清掃状態と脱水状態の両方にある、図１及び図２に示すような従来のスピンフラットモップ及び折り畳み可能なスピンフラットモップの比較である。具体的には、図９は、両方が（両方のモップの板が清掃の準備ができている）清掃状態の、図１及び図２に示すような従来のスピンフラットモップ及び折り畳み可能なスピンフラットモップの比較概略図であり、一方、図１０は、両方が（両方のモップの板が回転可能な篭に載置されて脱水中である）脱水状態の、図１及び図２に示すような従来のスピンフラットモップ及び折り畳み可能なスピンフラットモップの別の比較概略図である。
【００２８】
図９を参照すると、左は、従来のスピンフラットモップであり、一方、右は、折り畳み可能なスピンフラットモップ１００である。この従来のモップについては、中板２のみが、直接にモップ柄１に接続され、他の２枚のサイドプレート３は、中板２にヒンジ連結され、ばねが、２枚の側板３を中板２と同一平面に保つために２枚の側板３と中板２との間で継手にて配置される。図９に示すように、従来のスピンフラットモップが清掃状態にあるときに、即ち、外力がモップ柄１上に掛けられたときに、モップ柄１に直接に接続された中板２は、通常のフラットモップとして清掃を行うことができるが、２枚の側板３は、清掃中に上下に傾き得る。これは、外力が２枚の側板３に効果的に伝達されなかったことを意味する。これとは対照的に、折り畳み可能なスピンフラットモップ１００に関しては、２枚の独立した清掃板２１の両方は、継手部材２４及びカルダン継手部材２２を介して直接に柄１０に接続されており、該清掃板のそれぞれは、柄１０に対して回転可能である。したがって、図９に示すように、折り畳み可能なスピンフラットモップ１００が清掃状態にあるときに、即ち、外力が柄１０上に掛けられたときに、該力は、該清掃板の全てが通常のフラットモップとして清掃を行うことができるようにこれらの独立した清掃板２１の全てに伝達され、これは、柄１０上に掛けられた外力が板２１の全てに効果的に伝達されたことを意味する。その結果として、本発明の折り畳み可能なスピンフラットモップ１００は、より高い清掃効率を達成することができる。
【００２９】
更に、図１０に示すように、左は、従来のスピンフラットモップであり、一方、右は、折り畳み可能なスピンフラットモップ１００であり、両方とも、脱水状態にある。従来のスピンフラットモップについては、該モップが脱水状態にあるときに、３枚板式のモップヘッドは、回転可能な篭６上に適合するために「Ｕ」字形になるが、遠心脱水理論に従って、回転可能な篭６の側壁にもたれ、かつ、かつ、回転中心からより遠くに離れた側板３に装着されたマイクロファイバーボンネット５のみが、良好に脱水することができ、一方、中板２に装着されたマイクロファイバーボンネットは、通常、完全には脱水することができない。これとは対照的に、折り畳み可能なスピンフラットモップ１００に関しては、２枚の独立した清掃板２１の両方は、回転可能な篭５０２の側壁に適切にもたれることができ、かつ、回転中心から十分に遠くに離れることができる。この点を踏まえると、これらの独立した清掃板２１に装着されたマイクロファイバーボンネット（即ち、清掃要素３０）を効果的に脱水することができる。したがって、より高い脱水効率をモップによって達成することができる。
【００３０】
いくつかの例示の実施形態が示され、記述されてきたが、本開示の範囲は請求項及びそれらの同等物において定義され、本開示の原理及び趣旨から逸脱することなく、これらの実施形態に様々な変更又は修正がなされてもよいということは、当業者によって十分理解されるであろう。
【図１】
0006272335.tif 000002
【図２】
0006272335.tif 000003
【図３】
0006272335.tif 000004
【図４】
0006272335.tif 000005
【図５】
0006272335.tif 000006
【図６】
0006272335.tif 000007
【図７】
0006272335.tif 000008
【図８】
0006272335.tif 000009
【図９】
0006272335.tif 000010
【図１０】
0006272335.tif 000011